【手続補正書】
【提出日】平成21年1月23日(2009.1.23)
【手続補正１】
【補正対象書類名】明細書
【補正対象項目名】特許請求の範囲
【補正方法】変更
【補正の内容】
【特許請求の範囲】
【請求項１】  ユーザーのデコーダが対話型ディジタルテレビジョン放送を利用する方法であって、
ディジタル信号の形で、圧縮されたビデオイメージに対応するデータストリームと、少なくとも１つのマルチメディア・アプリケーションに対応するデータストリームと、これらのデータストリームを管理するためのサービス信号とを含む前記対話型ディジタルテレビジョン放送を受信するステップと、
チャンネルの選択において、前記マルチメディア・アプリケーションを指定するように割り当てられたゾーンと、前記マルチメディア・アプリケーションを実行するためのパラメータに割り当てられたゾーンと、を有する同期シーケンスに対応するサービス信号を検出するステップと、
前記デコーダのメモリに前記マルチメディア・アプリケーションをロードするステップと、
前記パラメータを用いて前記マルチメディア・アプリケーションを初期化するステップと、
ユーザーの対話型利用を開始させるために前記マルチメディア・アプリケーションを実行するステップと、
を含む、前記方法。
【請求項２】  前記ロードするステップの前に、前記マルチメディア・アプリケーションのロードを開始させるために、該マルチメディア・アプリケーションの識別子を検出するステップをさらに含む、請求項１に記載の方法。
【請求項３】  ユーザーにより与えられる命令により開始させることができる前記マルチメディア・アプリケーションをアンロードするステップをさらに含む、請求項１または２に記載の方法。
【請求項４】  ディジタル信号の形で伝送されるサービス信号により開始させることができる、前記マルチメディア・アプリケーションをアンロードするステップをさらに含む、請求項１〜３のいずれか１項に記載の方法。
【請求項５】  前記マルチメディア・アプリケーションのアンロードを開始させるサービス信号は同期シーケンスからなり、該同期シーケンスは特定のシーケンスである請求項４に記載の方法。
【請求項６】  プロセッサと、それが使用するメモリとを備えるデコーダであって、  ディジタル信号の形で、圧縮されたビデオイメージに対応するデータストリームと、少なくとも１つのマルチメディア・アプリケーションに対応するデータストリームと、これらのデータストリームを管理するためのサービス信号とを含む対話型ディジタルテレビジョン放送を受信し、
チャンネルの選択において、前記マルチメディア・アプリケーションを指定するように割り当てられたゾーンと、前記マルチメディア・アプリケーションを実行するためのパラメータに割り当てられたゾーンと、を有する同期シーケンスに対応するサービス信号を検出し、
前記デコーダのメモリに前記マルチメディア・アプリケーションをロードし、
前記パラメータを用いて前記マルチメディア・アプリケーションを初期化し、
ユーザーの対話型利用を開始させるために前記マルチメディア・アプリケーションを実行するように構成された、前記デコーダ。
【請求項７】  メモリを備えるデコーダのプロセッサに実行させる、コンピュータプログラムであって、
ディジタル信号の形で、圧縮されたビデオイメージに対応するデータストリームと、少なくとも１つのマルチメディア・アプリケーションに対応するデータストリームと、これらのデータストリームを管理するためのサービス信号とを含む対話型ディジタルテレビジョン放送を受信し、
チャンネルの選択において、前記マルチメディア・アプリケーションを指定するように割り当てられたゾーンと、前記マルチメディア・アプリケーションを実行するためのパラメータに割り当てられたゾーンと、を有する同期シーケンスに対応するサービス信号を検出し、
前記デコーダのメモリに前記マルチメディア・アプリケーションをロードし、
前記パラメータを用いて前記マルチメディア・アプリケーションを初期化し、
ユーザーの対話型利用を開始させるために前記マルチメディア・アプリケーションを実行する、
前記コンピュータプログラム。
【手続補正２】
【補正対象書類名】明細書
【補正対象項目名】発明の名称
【補正方法】変更
【補正の内容】
【発明の名称】対話型ディジタルテレビジョン放送を利用するための方法、デコーダ、およびコンピュータプログラム
【手続補正３】
【補正対象書類名】明細書
【補正対象項目名】０００５
【補正方法】変更
【補正の内容】
【０００５】
【発明が解決しようとする課題および課題を解決するための手段】
本発明は、ユーザーのデコーダが対話型ディジタルテレビジョン放送を利用する方法であって、
ディジタル信号の形で、圧縮されたビデオイメージに対応するデータストリームと、少なくとも１つのマルチメディア・アプリケーションに対応するデータストリームと、これらのデータストリームを管理するためのサービス信号とを含む前記対話型ディジタルテレビジョン放送を受信するステップと、
チャンネルの選択において、前記マルチメディア・アプリケーションを指定するように割り当てられたゾーンと、前記マルチメディア・アプリケーションを実行するためのパラメータに割り当てられたゾーンと、を有する同期シーケンスに対応するサービス信号を検出するステップと、
前記デコーダのメモリに前記マルチメディア・アプリケーションをロードするステップと、
前記パラメータを用いて前記マルチメディア・アプリケーションを初期化するステップと、
ユーザーの対話型利用を開始させるために前記マルチメディア・アプリケーションを実行するステップと、
を含む、前記方法に関する。
【手続補正４】
【補正対象書類名】明細書
【補正対象項目名】０００６
【補正方法】変更
【補正の内容】
【０００６】
好ましくは、本発明による前記方法は、前記ロードするステップの前に、前記マルチメディア・アプリケーションのロードを開始させるために、該マルチメディア・アプリケーションの識別子を検出するステップをさらに含む。
【手続補正５】
【補正対象書類名】明細書
【補正対象項目名】０００７
【補正方法】変更
【補正の内容】
【０００７】
本発明の変形例において、本発明による前記方法は、ユーザーにより与えられる命令により開始させることができる前記マルチメディア・アプリケーションをアンロードするステップをさらに含む。
【手続補正６】
【補正対象書類名】明細書
【補正対象項目名】０００８
【補正方法】変更
【補正の内容】
【０００８】
好ましくは、本発明による前記方法は、ディジタル信号の形で伝送されるサービス信号により開始させることができる、前記マルチメディア・アプリケーションをアンロードするステップをさらに含む。
【手続補正７】
【補正対象書類名】明細書
【補正対象項目名】０００９
【補正方法】変更
【補正の内容】
【０００９】
特定の好ましい実施形態によれば、前記マルチメディア・アプリケーションのアンロードを開始させるサービス信号は同期シーケンスからなり、該同期シーケンスは特定のシーケンスである。
【手続補正８】
【補正対象書類名】明細書
【補正対象項目名】００１０
【補正方法】変更
【補正の内容】
【００１０】
さらに、本発明は、プロセッサと、それが使用するメモリとを備えるデコーダであって、  ディジタル信号の形で、圧縮されたビデオイメージに対応するデータストリームと、少なくとも１つのマルチメディア・アプリケーションに対応するデータストリームと、これらのデータストリームを管理するためのサービス信号とを含む対話型ディジタルテレビジョン放送を受信し、
チャンネルの選択において、前記マルチメディア・アプリケーションを指定するように割り当てられたゾーンと、前記マルチメディア・アプリケーションを実行するためのパラメータに割り当てられたゾーンと、を有する同期シーケンスに対応するサービス信号を検出し、
前記デコーダのメモリに前記マルチメディア・アプリケーションをロードし、
前記パラメータを用いて前記マルチメディア・アプリケーションを初期化し、
ユーザーの対話型利用を開始させるために前記マルチメディア・アプリケーションを実行するように構成された、前記デコーダに関する。
また、本発明は、メモリを備えるデコーダのプロセッサに実行させる、コンピュータプログラムであって、
ディジタル信号の形で、圧縮されたビデオイメージに対応するデータストリームと、少なくとも１つのマルチメディア・アプリケーションに対応するデータストリームと、これらのデータストリームを管理するためのサービス信号とを含む対話型ディジタルテレビジョン放送を受信し、
チャンネルの選択において、前記マルチメディア・アプリケーションを指定するように割り当てられたゾーンと、前記マルチメディア・アプリケーションを実行するためのパラメータに割り当てられたゾーンと、を有する同期シーケンスに対応するサービス信号を検出し、
前記デコーダのメモリに前記マルチメディア・アプリケーションをロードし、
前記パラメータを用いて前記マルチメディア・アプリケーションを初期化し、
ユーザーの対話型利用を開始させるために前記マルチメディア・アプリケーションを実行する、
前記コンピュータプログラムに関する。
【手続補正９】
【補正対象書類名】明細書
【補正対象項目名】００１４
【補正方法】変更
【補正の内容】
【００１４】
前記アプリケーションは、図１に一例として示される概略的な構造を示すサービス信号の形でディジタル放送が送られる前に記憶される。